(57)【要約】【課題】操作性に優れ、手術に際して使用されるガーゼのカウントミスを有効に防止できるよう改良されたガーゼカウントホルダを提供する。【解決手段】ガーゼカウントホルダを構成する２つの細長いプレート材１０、３０には、長手方向に間隔をおいて複数の突起部１５、３５が対向して設けられており、各突起部は、揺動可能な爪状フラップ１６、３６を備える。対向する爪状フラップ１６と３６の先端同士を連結して保持爪５０を構成するとともに、隣接する２つの保持爪５０、５０が、ガーゼを１枚保持する保持部Ａとして機能する。両プレート材１０、３０を閉じた時、隣接する２つの保持爪５０、５０同士が互いの先端を近接させてガーゼを保持する。反対に、両プレート材１０、３０を開くと、これと連動して、先端を近接させた２つの保持爪５０、５０が互いに離れる方向に退避し、これによって、ガーゼ５を出し入れする経路Ｂが形成される。【選択図】図４
2012085951.tif 000002
【特許請求の範囲】
【請求項１】
保持するガーゼ（５）の枚数に等しい数の保持部（Ａ）を備えるガーゼカウントホルダであって、
（ア）
当該ガーゼカウントホルダは、細長い第１プレート材（１０）および第２プレート材（３０）を備え、両プレート材（１０、２０）は長手方向側縁において互いに開閉可能に連設されており、
両プレート材（１０、３０）には、連設された側縁とは反対側の側縁に、上記長手方向に間隔をおいて複数の突起部（１５、３５）が対向して設けられており、
各突起部は、上記長手方向に沿って突出し揺動可能な爪状フラップ（１６、３６）を備え、
対向する第１プレート材上の爪状フラップ（１６）と第２プレート材上の爪状フラップ（３６）とが、先端同士が連結されて保持爪（５０）を構成するとともに、
上記長手方向に隣接する２つの保持爪（５０、５０）が、上記保持部（Ａ）の１つとして機能し、
（イ）
第１プレート材（１０）と第２プレート材（３０）を閉じた時、上記隣接する２つの保持爪（５０、５０）同士が互いの先端を近接させて、当該２つの保持爪と両プレート材（１０、３０）との間にガーゼ（５）を保持し、
第１プレート材（１０）と第２プレート材（３０）を開くと、これと連動して、先端を近接させた２つの保持爪（５０、５０）が互いに離れる方向に退避し、これによって、ガーゼ（５）を出し入れする経路（Ｂ）が形成される、ガーゼカウントホルダ。
【請求項２】
上記第１プレート材（１０）および第２プレート材（３０）を、閉じた状態、または開いた状態の少なくとも一方で係止する係止手段を備える、請求項１記載のガーゼカウントホルダ。
【請求項３】
上記隣接する２つの保持爪（５０、５０）が互いに異なる形状を有する、請求項１または２記載のガーゼカウントホルダ。
【請求項４】
第１プレート材（１０）と第２プレート材（３０）を閉じて上記隣接する２つの保持爪（５０、５０）同士が互いの先端を近接させたとき、当該２つの保持爪と両プレート材（１０、３０）との間に形成される開口面積が、実質上、ガーゼ１枚だけを保持できる拡がりを有する、請求項１〜３のいずれか１つに記載のガーゼカウントホルダ。
【請求項５】
請求項１〜４のいずれか１つに記載のガーゼカウントホルダを２つ備え、これらを回動可能に連結して構成される、ガーゼカウントホルダ。
【発明の詳細な説明】
【技術分野】
【０００１】
本発明は、複数枚のガーゼについて、その数を明確に把握した上で保持することのできるガーゼカウントホルダに関する。
【背景技術】
【０００２】
ガーゼカウントホルダは、代表的には、手術に際して使用される。手術においては、止血等のために複数枚のガーゼが使用されるが、手術で開けた体内に誤ってガーゼを残したまま傷口を縫合してしまうという医療ミスがしばしば報告されている。
このような医療ミスは、手術前に用意したガーゼの数を明確に把握しておき、傷口を縫合する前に、同数のガーゼが（体外に）存在することを確認することで、確実に防ぐことができる。
【０００３】
このような目的で使用されるガーゼ計数手段は、特許文献１、２等に提案されている。しかしながら、これらの文献に開示されたガーゼ計数手段では、ホルダにガーゼをセットする操作が煩わしい。
すなわち、特許文献１では、その図１、図３に示される通り、スリット状または鍵穴状の係止部にガーゼがセットされるので、これらの狭い部分にガーゼを押し込む操作が面倒である。
また、特許文献２では、狭いくり抜き穴にガーゼを通す必要があり、やはり面倒な作業となる。
【先行技術文献】
【特許文献】
【０００４】
【特許文献１】特許第３４４７６５５号
【特許文献２】特開２００７-３３０４４５号公報
【発明の概要】
【発明が解決しようとする課題】
【０００５】
本発明の目的は、上述のような手術に際して使用するのに好適なガーゼカウントホルダであって、ガーゼのセットまたは取出しの操作性に優れ、カウントミスを有効に防止できるよう改良されたものを提供することである。
【課題を解決するための手段および発明の効果】
【０００６】
本発明は、上記課題を有効に解決するために創案されたものであって、以下の特徴を供えたガーゼカウントホルダを提供する。
【０００７】
本発明のガーゼカウントホルダは、保持するガーゼの枚数に等しい数の保持部を備えている。
（ア）
当該ガーゼカウントホルダは、細長い第１プレート材および第２プレート材を備え、両プレート材は長手方向側縁において互いに開閉可能に連設されている。
両プレート材には、連設された側縁とは反対側の側縁に、上記長手方向に間隔をおいて複数の突起部が対向して設けられている。
各突起部は、上記長手方向に沿って突出し揺動可能な爪状フラップを備える。
対向する「第１プレート材上の爪状フラップ」と「第２プレート材上の爪状フラップ」とが、先端同士が連結されて保持爪を構成するとともに、上記長手方向に隣接する２つの保持爪が、上記保持部の１つとして機能する。
（イ）
第１プレート材と第２プレート材を閉じた時、上記隣接する２つの保持爪同士が互いの先端を近接させて、当該２つの保持爪と両プレート材との間にガーゼを保持する。
一方、第１プレート材と第２プレート材を開くと、これと連動して、先端を近接させた２つの保持爪が互いに離れる方向に退避し、これによって、ガーゼを出し入れする経路が形成される。
【０００８】
上記構成を有するガーゼカウントホルダにおいては、最初、第１プレート材と第２プレート材を開いた状態とすることで、上記経路から各保持部にガーゼを簡単にセットできる。次に、両プレート材を閉じると、これに連動して隣接する２つの保持爪同士が互いの先端を近接させ、当該２つの保持爪と両プレート材との間にガーゼを保持する。
つまり、開いた状態で簡単にガーゼをセットし、その後、両プレート材を閉じると、ガーゼが確実に保持される。ガーゼを取り出す際には、上とは逆に、第１プレート材と第２プレート材を開き、保持爪が退避することで現れる経路から、スムーズに取出し操作を行うことができる。
このように、ガーゼのセットおよび取出しの操作が容易で、しかも確実にガーゼを保持できる。
【０００９】
特に、先端を近接させた状態にある２つの保持爪と両プレート材との間に形成される開口面積が、実質上、ガーゼ１枚だけを保持できる拡がりを有するよう構成した場合には、ガーゼ総数のカウント結果に対する信頼性がさらに高くなる。
【００１０】
なお、本明細書において、２つのプレート材を「第１」、「第２」と区別しているが、これは説明の便宜上のものに過ぎず、いずれが「第１」または「第２」であってもよい。
【００１１】
さらに、本発明において、以上の構成を備えたガーゼカウントホルダを２つ用意して、それぞれを第１ユニットおよび第２ユニットとし、両者を回動可能に連結してもよい。これにより、保持できるガーゼの数が２倍になるとともに、両ユニットを折り畳むことでコンパクトに保管等が可能となる。
【図面の簡単な説明】
【００１２】
【図１】本発明の第１実施形態に係るガーゼカウントホルダの正面図。
【図２】図１ａの状態（閉じた状態）のガーゼカウントホルダの斜視図。
【図３】図１ｂの状態（開いた状態）のガーゼカウントホルダの斜視図。
【図４】図１のガーゼカウントホルダの使用方法を説明する図。
【図５】本発明の第２実施形態に係るガーゼカウントホルダを説明する図。
【発明を実施するための形態】
【００１３】
本発明の実施形態を添付の図面を参照して以下に詳細に説明する。
【００１４】
≪第１実施形態≫
図１は、本発明の一実施形態に係るガーゼカウントホルダを示す正面図である。後述するように、ガーゼカウントホルダを構成する２つのプレート材１０、３０は、開閉が可能であって、図１（ａ）は閉じた状態を、図１（ｂ）は開いた状態を示している。図２は閉じた状態での斜視図で、図３は開いた状態での斜視図である。
ガーゼカウントホルダは、長手方向側縁において互いに開閉可能に連設された細長い第１プレート材１０および第２プレート材３０を備える。正面から見ると、第１プレート材１０だけが見える（図１）。
【００１５】
第１プレート材１０には、長手方向に間隔をおいて複数の突起部１５設けられており、各突起部１５は、横方向に（プレート材１０の長手方向に）突出し、揺動可能な爪状フラップ１６を備える。
第２プレート材３０も、第１プレート材１０と同じ構成であって、長手方向に間隔をおいて複数の突起部３５設けられており、各突起部３５は、横方向に（プレート材３０の長手方向に）突出し、揺動可能な爪状フラップ３６を備える。
【００１６】
第１プレート材１０と第２プレート材３０は、突起部１５、３５が設けられた側縁とは反対側の側縁において、互いに開閉可能に連設されている。図示した例では、第１プレート材１０と第２プレート材３０は、薄肉部８を介して開閉可能となるように構成された一体物であるが、両プレート材を別々に作成して、何らかの連結手段で開閉可能に連結してもよい。
【００１７】
図３は、第１プレート材１０と第２プレート材３０を開けた状態で示す斜視図である。矢印“Ｒ”で示したように、第１プレート材１０と第２プレート材３０は、薄肉部８を回転軸として回転することで、閉じたり開いたりすることができる。「第１プレート材上の突起部１５が備える爪状フラップ１６」と「第２プレート材上の突起部３５が備える爪状フラップ３６」とは、先端同士が可動連結されて１つの保持爪５０を構成している。さらに、隣接する２つの保持爪５０、５０が、保持部Ａとして機能する。
保持部Ａの数は手術に際して予め用意しておくガーゼ５の枚数に等しく、したがって、このガーゼカウントホルダを使用することで、手術前に用意した全てのガーゼ５が看者の体外に取り出されていることが簡単かつ確実に確認できる。
【００１８】
なお、突起部１５、３５は、プレート材１０、３０の長手方向に複数存在するが、両端の突起部は片側にだけ保持爪５０を備え、その間の４つの突起部は両側に保持爪５０を備えることとなる。
【００１９】
図４は、ガーゼカウントホルダの使用方法を説明している。第１プレート材１０と第２プレート材３０を閉じた時（重ね合わせた時）、隣接する２つの保持爪５０、５０同士が互いの先端を近接させて、当該２つの保持爪と両プレート材１０、３０との間にガーゼを保持する。このように、２つの保持爪が１つの保持部Ａを構成している。
第１プレート材１０と第２プレート材３０を開くと、この動作と連動して、先端を近接させていた２つの保持爪５０、５０が互いに離れる方向に退避し、これによって、ガーゼ５を出し入れする経路Ｂが形成される（図４）。
【００２０】
以上の構成を有する本発明のガーゼカウントホルダによれば、両プレート材１０、３０が開いた状態にあるとき、退避した２つの保持爪５０、５０間の経路Ｂ（図４）から簡単にガーゼ５をセットでき、取り出すことも容易である。
両プレート材１０、３０を重ね合わせると、保持爪５０、５０が互いの先端を近接させて、当該２つの保持爪と両プレート材１０、３０との間にガーゼ５を保持する（固定が簡単）。
【００２１】
図示した例では、ガーゼカウントホルダは、５枚のガーゼを保持するように構成されているが、保持部Ａの数を変更して、適宜の枚数のガーゼを保持するよう構成できる。
また、２つのプレート材１０、３０を「第１」、「第２」と区別しているが、これは説明の便宜上のものに過ぎず、いずれが「第１」または「第２」であってもよい。
【００２２】
≪両プレート材１０、３０の相対位置を仮止めする係止手段≫
上に説明したように、ガーゼカウントホルダは、開閉可能な２つのプレート材１０、３０を開いた状態でガーゼ５をセットし、閉じるとガーゼ５が保持（固定）される。したがって、これらの操作を容易にするために、両プレート材１０、３０を開いた状態、あるいは閉じた状態に仮止めする係止手段を設けることが好ましい。
係止手段の具体的構成は特に限定されない。例えば、弾性変形する凹部と凸部を利用したスナップ係合手段や、一方のプレート材に設けたフック部を他方のプレート材に引っ掛けて固定する手段等、適宜の構成を採用可能である。
【００２３】
≪保持爪５０の具体的な形状≫
保持爪５０の具体的な形状は、図示したものに限られず、ガーゼを良好に保持できるよう、種々の形を採用できる。また、図示した例では、１つの保持部Ａを構成する２つの保持爪５０、５０が同一の形状（左右対称）を有するが、右側と左側で異なる形状の保持爪としてもよい。
【００２４】
≪各保持部Ａに対して、ガーゼ１枚のみが確実に保持されるための構成≫
ガーゼカウントホルダにおいては、ガーゼの枚数を正確に把握できることが重要であるため、１つの保持部Ａに対してガーゼが１枚だけ保持されることが確実となる構成が好ましい。
この目的を達成するための本発明の特徴は、次の通りである。
【００２５】
図２の閉じた状態において、１つの保持部Ａを構成する２つの保持爪５０、５０と、両プレート材１０、３０との間に形成される開口面積が、実質上、ガーゼ１枚だけを保持できる拡がりを有するよう設定しておく。
ガーゼは柔軟な布材であるが、１枚のガーゼを丸める、あるいは折り畳む等して中間部分を適度な圧力をもって保持するとき、当該保持される部分の断面積が想定される。本発明においてこの断面積に要求される性質は、ガーゼの不要な抜け落ちが防止されるとともに、当該面積内に２枚のガーゼを保持することが、自然な力作業では明らかに困難となることである。
開口領域の面積をそのように設定しておくことで（換言すると、ガーゼ１枚だけを保持できる拡がりとしておくことで）、もし誤って最初に１つの保持部Ａに２枚のガーゼを入れてしまった場合であっても、両プレート材１０、３０を閉じる際に、その操作がスムーズに行えないこととなるので、その時点で枚数の誤りに気付くことができ、余分な１枚を除去できる。
なお、そのような開口面積の具体的な値は、対象となるガーゼの大きさによって当然に異なるので、予め対象となるガーゼの大きさを決めた上で、ガーゼカウントホルダは製造されることとなる。
【００２６】
≪第２実施形態≫
図５は、本発明の第２実施形態を示している。第２実施形態に係るガーゼカウントホルダは、折畳可能に連結された２つのユニット１、２で構成される。ユニット１、２は、それぞれ、図１〜図４で説明した第１実施形態に実質的に等しい。
【００２７】
両ユニットの第２プレート材上の突起部３５同士を回動可能に連結しているので、図５に示したように、全体を２つに折り畳んでコンパクト化することができる。図示した例では、突起部３５同士が薄肉部９を介して回動可能となるように一体構成されているが、両ユニットの適宜の箇所を回動可能に連結し、折畳みに都合が良いように構成すればよい。また、両プレート材を別々に作成して、何らかの連結手段で回動可能に連結することもできる。
【００２８】
第２実施形態のガーゼカウントホルダによれば、コンパクトな構成で、第１実施形態の２倍の枚数のガーゼを保持することが可能となる。
【符号の説明】
【００２９】
８、９  薄肉部
１０  第１プレート材
１５  突起部
１６  爪状フラップ
３０  第２プレート材
３５  突起部
３６  爪状フラップ
５０  保持爪
【図１】
2012085951.tif 000003
【図２】
2012085951.tif 000004
【図３】
2012085951.tif 000005
【図４】
2012085951.tif 000006
【図５】
2012085951.tif 000007